(57)【要約】【課題】バイポーラ電極が積層された積層体部分の放熱性を向上させることができる蓄電装置を提供する。【解決手段】集電体の一方の面及び他方の面に正極層及び負極層がそれぞれ設けられたバイポーラ電極が積層されたバイポーラ電極群と、バイポーラ電極群の両端に配置され、集電体の一方の面にのみ正極層又は負極層が設けられる終端電極と、を有し、正極層と負極層とがセパレータを介して互いに対向するように配置された積層体と、積層方向から積層体を見たときに端部を覆う絶縁性のケースと、積層体の両端に接触配置され、積層体及びケースに対して荷重を付加する一対の拘束板と、を備え、拘束板において終端電極に対向する第一対向面、及び終端電極の集電体において拘束板と対向する第二対向面の少なくとも一方は、凹凸が形成されており、凹凸により形成される流路は、ケースの外部に連通している。【選択図】図１
2018018715.tif 000002
【特許請求の範囲】
【請求項１】
集電体の一方の面に設けられた正極層と、前記一方の面とは反対側の他方の面に設けられた負極層とを有するバイポーラ電極が第一方向に積層されたバイポーラ電極群と、前記バイポーラ電極群の前記第一方向における両端に配置され、集電体の一方の面にのみ正極層又は負極層が設けられる終端電極と、を有し、前記正極層と前記負極層とが、セパレータを介して互いに対向するように配置された積層体と、
前記第一方向から見たときに前記積層体の端部を覆う絶縁性のケースと、
前記積層体の前記第一方向における両端側に接触配置され、前記積層体及び前記ケースに対して前記第一方向に拘束荷重を付加する一対の拘束板と、を備え、
前記拘束板において前記終端電極に対向する第一対向面、及び前記終端電極の集電体において前記拘束板と対向する第二対向面の少なくとも一方は、凹凸が形成されており、
前記凹凸により形成される流路は、前記ケースの外部に連通している、蓄電装置。
【請求項２】
前記凹凸は、前記第一対向面にのみが形成されている、請求項１に記載の蓄電装置。
【請求項３】
前記凹凸は、前記第一対向面及び前記第二対向面の両方に形成されており、
前記第一方向から見た平面視において、前記第一対向面における前記凹凸の位置と、前記第二対向面における前記凹凸の位置とは互いに一致している、請求項１に記載の蓄電装置。
【請求項４】
前記流路は、一方向に延在している、請求項１〜３の何れか一項記載の蓄電装置。
【請求項５】
ニッケル水素二次電池である、請求項１〜４の何れか一項記載の蓄電装置。
【発明の詳細な説明】
【技術分野】
【０００１】
本発明は、蓄電装置に関する。
【背景技術】
【０００２】
集電体の一方の面に正極が形成され、他方の面に負極が形成されたバイポーラ電極を備えるバイポーラ電池が知られている（特許文献１参照）。このバイポーラ電池では、電解質層が保持されたセパレータを挟んで複数のバイポーラ電極が直列に積層されている。
【先行技術文献】
【特許文献】
【０００３】
【特許文献１】特開２０１１−１５１０１６号公報
【発明の概要】
【発明が解決しようとする課題】
【０００４】
上記バイポーラ電池を含む蓄電装置では、充放電時に電極の積層体において熱が発生する。しかしながら、上記従来のバイポーラ電池では、バイポーラ電極の積層体部分が外装材により覆われているので、当該積層体部分で発生する熱を、バイポーラ電極の積層方向に直交する方向、すなわち側面へ放熱させることは難しく、放熱性に乏しい。
【０００５】
本発明は、バイポーラ電極が積層された積層体部分の放熱性を向上させることができる蓄電装置を提供することを目的とする。
【課題を解決するための手段】
【０００６】
本発明に係る蓄電装置は、集電体の一方の面に設けられた正極層と、一方の面とは反対側の他方の面に設けられた負極層とを有するバイポーラ電極が第一方向に積層されたバイポーラ電極群と、バイポーラ電極群の第一方向における両端に配置され、集電体の一方の面にのみ正極層又は負極層が設けられる終端電極と、を有し、正極層と負極層とが、セパレータを介して互いに対向するように配置された積層体と、第一方向から見たときに積層体の端部を覆う絶縁性のケースと、積層体の第一方向における両端側に接触配置され、積層体及びケースに対して第一方向に拘束荷重を付加する一対の拘束板と、を備え、拘束板において終端電極に対向する第一対向面、及び終端電極の集電体において拘束板と対向する第二対向面の少なくとも一方は、凹凸が形成されており、凹凸により形成される流路は、ケースの外部に連通している。
【０００７】
この蓄電装置では、積層体と拘束板との間において形成される凹凸によって流路が形成される。これにより、積層方向（第一方向）から見たときに積層体の外形となる端部、言い換えれば、積層体の積層方向と直交する方向における端部を覆う絶縁性のケースによって蓄電装置の側面から熱が放熱し難い構成であったとしても、積層体において発生した熱は、積層方向に拘束板にまで伝わり、流路を介して放熱されるようになる。この結果、バイポーラ電極が積層された積層体部分の放熱性を向上させることができる。
【０００８】
上記凹凸は、第一対向面にのみが形成されていてもよい。拘束板における厚みは、終端電極の集電体よりも厚いことが多いので、凹凸の差を確保し易くなる。第一対向面と第二対向面との接触面積を極端に少なくすると、発熱量が多くなったり、劣化が促進されたりする不具合が発生することがある。この構成では、凸部同士が必ず接触するように構成されるので、第一対向面と第二対向面との接触面積を極端に減少させることなく流路断面面積を確保して、放熱効率を高めることができる。
【０００９】
上記凹凸は、第一対向面及び第二対向面の両方に形成されており、第一方向から見た平面視において、第一対向面における凹凸の位置と、第二対向面における凹凸の位置とは互いに一致していてもよい。第一対向面と第二対向面との接触面積を極端に少なくすると、発熱量が多くなったり、劣化が促進されたりする不具合が発生することがある。この構成では、第一対向面と第二対向面との接触面積を極端に減少させることなく流路断面面積を確保して、放熱効率を高めることができる。
【００１０】
上記流路は、一方向に延在していてもよい。この構成では、第一対向面及び第二対向面の少なくとも一方に対して容易に凹凸を形成することができる。
【００１１】
上記蓄電装置は、ニッケル水素二次電池として構成してもよい。この構成のニッケル水素二次電池では、上記のとおり、バイポーラ電極が積層された積層体部分の放熱性を向上させることができる。
【発明の効果】
【００１２】
本発明によれば、バイポーラ電極が積層された積層体部分の放熱性を向上させることができる。
【図面の簡単な説明】
【００１３】
【図１】第一実施形態に係る蓄電装置を模式的に示す断面図である。
【図２】（ａ）は、図１の正極プレートをＺ軸方向から見た平面図である。（ｂ）は、図１の正極終端電極をＺ軸方向から見た平面図である。
【図３】（ａ）は、図１の負極プレートをＺ軸方向から見た平面図である。（ｂ）は、図１の負極終端電極をＺ軸方向から見た平面図である。
【図４】第二実施形態に係る蓄電装置を模式的に示す断面図である。
【図５】第三実施形態に係る蓄電装置を模式的に示す断面図である。
【図６】変形例に係る蓄電装置における正極プレート及び負極プレートをＺ軸方向から見た平面図である。
【発明を実施するための形態】
【００１４】
以下、添付図面を参照しながら本発明の実施形態が詳細に説明される。図面の説明において、同一又は同等の要素には同一符号が用いられ、重複する説明は省略される。図１〜図６には、ＸＹＺ直交座標系が示される。
【００１５】
（第一実施形態）
図１に示される蓄電装置１０は、例えばフォークリフト、ハイブリッド自動車、電気自動車等の車両に搭載されるニッケル水素二次電池である。蓄電装置１０は、複数のバイポーラ電極１２（バイポーラ電極群）と、正極終端電極（終端電極）１１２と、負極終端電極（終端電極）２１２と、正極プレート（拘束板）４０と、負極プレート（拘束板）５０と、絶縁ケース（ケース）３０と、を備える。
【００１６】
複数のバイポーラ電極１２は、セパレータ１４を介して直列に積層される。複数のバイポーラ電極１２のそれぞれは、第一の面（一方の面）１６ａ及び第一の面１６ａとは反対側の第二の面（他方の面）１６ｂを有する集電体１６と、第一の面１６ａに設けられた正極層１８と、第二の面１６ｂに設けられた負極層２０とを有している。正極層１８及び負極層２０は、複数のバイポーラ電極１２の積層方向（第一方向）（以下、Ｚ軸方向ともいう）に交差する平面（例えばＸＹ平面）に沿って延在している。
【００１７】
セパレータ１４は、互いに隣接するバイポーラ電極１２の間、正極終端電極１１２とバイポーラ電極１２との間、及びバイポーラ電極１２と負極終端電極２１２との間に配置されている。例えば、セパレータ１４は、シート状に形成されている。セパレータ１４は例えば多孔膜又は不織布である。セパレータ１４は電解液を透過させ得る。セパレータ１４の材料としては、例えばポリエチレン、ポリプロピレン等のポリオレフィン、ポリイミド等が挙げられる。電解液としては、例えば水酸化カリウム水溶液等のアルカリ溶液が使用され得る。
【００１８】
集電体１６は、例えばニッケル箔等の金属箔である。集電体１６の厚みは、例えば１〜５０μｍである。正極層１８は、正極活物質を含む。正極活物質は、例えば水酸化ニッケル（Ｎｉ（ＯＨ）２）の粒子である。負極層２０は、負極活物質を含む。負極活物質は、例えば水素吸蔵合金の粒子である。なお、集電体１６は、例えば導電性樹脂でもよい。
【００１９】
正極終端電極１１２は、複数のバイポーラ電極１２（バイポーラ電極群）のＺ軸方向における一方側の端部に配置される。すなわち、正極終端電極１１２は、Ｚ軸方向において、複数のバイポーラ電極１２の最も外側に配置される。正極終端電極１１２は、第三の面（一方の面）１１６ａ及び第三の面１１６ａとは反対側の第四の面（他方の面）１１６ｂを有する集電体１１６と、第三の面１１６ａに設けられた正極層１１８と、を有している。正極層１１８は、ＸＹ平面に沿って延在している。集電体１１６は、Ｚ軸方向において集電体１６よりも厚い。正極層１１８は、バイポーラ電極１２における正極層１８と同じ構成である。
【００２０】
図２（ｂ）に示されるように、正極終端電極１１２において正極プレート４０に対向する第四の面（第二対向面）１１６ｂには凹凸が形成されている。本実施形態では、Ｙ軸方向（一方向）に延在すると共に、Ｘ軸方向に配列された複数の溝部１１７が形成されている。当該溝部１１７の深さは、１ｍｍ〜５ｍｍとすることができる。
【００２１】
図１に示されるように、負極終端電極２１２は、複数のバイポーラ電極１２（バイポーラ電極群）のＺ軸方向における他方側の端部に配置される。すなわち、負極終端電極２１２は、Ｚ軸方向において、複数のバイポーラ電極１２の最も外側に配置される。負極終端電極２１２は、第五の面（一方の面）２１６ａ及び第五の面２１６ａとは反対側の第六の面（他方の面）２１６ｂを有する集電体２１６と、第五の面２１６ａに設けられた負極層２２０と、を有している。負極層２２０は、ＸＹ平面に沿って延在している。集電体２１６は、Ｚ軸方向において集電体１６よりも厚い。負極層２２０は、バイポーラ電極１２における負極層２０と同じ構成である。
【００２２】
図３（ｂ）に示されるように、負極終端電極２１２において負極プレート５０に対向する第六の面（第二対向面）２１６ｂには凹凸が形成されている。本実施形態では、Ｙ軸方向（一方向）に延在すると共に、Ｘ軸方向に配列された複数の溝部２１７が形成されている。当該溝部２１７の深さは、１ｍｍ〜５ｍｍとすることができる。
【００２３】
図１に示されるように、絶縁ケース３０は、Ｚ軸方向において、複数のバイポーラ電極１２と、正極終端電極１１２と、負極終端電極２１２とを含んで構成される積層体２５のＺ軸方向（第一方向）と直交する方向における端部を覆う。すなわち、絶縁ケース３０は、Ｚ軸方向（積層方向）から積層体２５を見たときの外形となる端部を覆う。絶縁ケース３０は、複数のバイポーラ電極１２を支持する。例えば、各バイポーラ電極１２の集電体１６の端部が絶縁ケース３０内に埋設される。また、絶縁ケース３０は、正極終端電極１１２及び負極終端電極２１２を支持する。例えば、正極終端電極１１２の集電体１１６の端部及び負極終端電極２１２の集電体２１６の端部が絶縁ケース３０内に埋設される。絶縁ケース３０は。例えば、ＰＰ、ＰＰＳ、変性ＰＰＥ等からなる樹脂ケースである。絶縁ケース３０は、複数のバイポーラ電極１２及び複数のセパレータ１４を収容し得る筒状部材であってもよい。絶縁ケース３０内には電解液が充填される。
【００２４】
正極プレート４０及び負極プレート５０は、Ｚ軸方向において、複数のバイポーラ電極１２と、正極終端電極１１２と、負極終端電極２１２とを含んで構成される積層体２５を挟持する。また、第一実施形態の正極プレート４０及び負極プレート５０では、積層体２５に加え、絶縁ケース３０も挟持する。正極プレート４０には正極端子４９が接続される。負極プレート５０には負極端子５９が接続される。正極端子４９及び負極端子５９により蓄電装置１０の充放電を行うことができる。
【００２５】
図２（ａ）に示されるように、正極プレート４０において正極終端電極１１２に対向する面（第一対向面）４０ａには凹凸が形成されている。本実施形態では、Ｙ軸方向（一方向）に延在すると共に、Ｘ軸方向に配列された複数の溝部４１が形成されている。図３（ａ）に示されるように、負極プレート５０において負極終端電極２１２に対向する面（第一対向面）５０ａには凹凸が形成されている。本実施形態では、Ｙ軸方向（一方向）に延在すると共に、Ｘ軸方向に配列された複数の溝部５１が形成されている。
【００２６】
正極プレート４０には、Ｚ軸方向に延びるボルトＢを貫通するための貫通孔４６が設けられる。負極プレート５０には、Ｚ軸方向に延びるボルトＢを貫通するための貫通孔５６が設けられる。貫通孔４６，５６は、Ｚ軸方向から見て絶縁ケース３０の外側に配置される。ボルトＢは正極プレート４０から負極プレート５０に向かって挿通される。ボルトＢの先端にはナットＮが螺合される。これにより、正極プレート４０及び負極プレート５０は、複数のバイポーラ電極１２、複数のセパレータ１４、正極終端電極１１２、負極終端電極２１２及び絶縁ケース３０に対して、拘束荷重を付加する。その結果、絶縁ケース３０内は密封される。
【００２７】
正極プレート４０において正極終端電極１１２に対向する面４０ａに形成される凹凸の位置と、正極終端電極１１２の集電体１１６において正極プレート４０に対向する第四の面１１６ｂに形成される凹凸の位置とは、互いに一致している。上記実施形態では、これらの凹凸によって一方向（Ｙ軸方向）に延在する流路Ｃが形成されている。流路Ｃは、絶縁ケース３０の外部に連通している。
【００２８】
同様に、負極プレート５０において負極終端電極２１２に対向する面５０ａに形成される凹凸と、負極終端電極２１２の集電体２１６において負極プレート５０に対向する第六の面２１６ｂに形成される凹凸の位置とは、互いに一致している。上記実施形態では、これらの凹凸によって一方向（Ｙ軸方向）に延在する流路Ｃが形成されている。流路Ｃは、Ｙ軸方向（一方向）に延在すると共に、Ｘ軸方向に配列されている。当該流路Ｃは、絶縁ケース３０の外部に連通している。
【００２９】
次に、第一実施形態の蓄電装置１０の作用効果について説明する。本実施形態では、積層体２５と正極プレート４０との間、及び積層体２５と負極プレート５０との間において形成される凹凸によって流路Ｃが形成される。これにより、積層体２５のＺ軸方向（積層方向）と直交するＹ軸方向における端部を覆う絶縁性の絶縁ケース３０があるために、蓄電装置１０の側面から熱が放熱し難い構成であったとしても、積層体２５において発生した熱は、Ｚ軸方向に正極プレート４０又は負極プレート５０にまで伝わり、流路Ｃを介して放熱されるようになる。この結果、バイポーラ電極１２が積層された積層体２５部分の放熱性を向上させることができる。
【００３０】
第一実施形態では、正極プレート４０の面４０ａと、正極終端電極１１２の第四の面１１６ｂとの両方に凹凸形成されており、かつ、Ｚ軸方向から見た平面視において、正極プレート４０の面４０ａにおける凹凸の位置と、正極終端電極１１２の第四の面１１６ｂにおける凹凸の位置とは互いに一致している。同様に、負極プレート５０の面５０ａと、負極終端電極２１２の第六の面２１６ｂとの両方に凹凸形成されており、かつ、Ｚ軸方向から見た平面視において、負極プレート５０の面５０ａにおける凹凸の位置と、負極終端電極２１２の第六の面２１６ｂにおける凹凸の位置とは互いに一致している。
【００３１】
これらの構成では、正極プレート４０の面４０ａと正極終端電極１１２の第四の面１１６ｂとの接触面積を極端に減少させることなく流路Ｃの断面面積を確保できる。これにより、接触面積が小さくなることによる抵抗の上昇と、接触面積が小さくなった接触部位への電流集中の発生と、を抑制できる。このため、発熱量が抑制され、劣化の促進が抑制される。この結果、放熱効率を高めることができる。また、同様に、負極プレート５０の面５０ａと負極終端電極２１２の第六の面２１６ｂとの接触面積を極端に減少させることなく流路Ｃの断面面積を確保して、放熱効率を高めることができる。
【００３２】
（第二実施形態）
次に、第二実施形態に係る蓄電装置３１０について説明する。図４に示される蓄電装置３１０は、第一実施形態の正極終端電極１１２に変えて正極終端電極４１２を備え、第一実施形態の負極終端電極２１２に変えて負極終端電極５１２を備えること以外は、図１の蓄電装置１０と同じ構成である。
【００３３】
正極終端電極４１２は、複数のバイポーラ電極１２（バイポーラ電極群）のＺ軸方向における一方側の端部に配置される。すなわち、正極終端電極４１２は、Ｚ軸方向において、複数のバイポーラ電極１２の最も外側に配置される。正極終端電極４１２は、第三の面（一方の面）４１６ａ及び第三の面４１６ａとは反対側の第四の面（他方の面）４１６ｂを有する集電体４１６と、第三の面４１６ａに設けられた正極層４１８と、を有している。正極層４１８は、ＸＹ平面に沿って延在している。集電体４１６は、Ｚ軸方向において集電体１６よりも厚い。正極層４１８は、バイポーラ電極１２における正極層１８と同じ構成である。正極終端電極４１２は、正極終端電極１１２とは異なり、正極プレート４０に対向する第四の面（第一対向面）４１６ｂには凹凸が形成されていない。
【００３４】
負極終端電極５１２は、複数のバイポーラ電極１２（バイポーラ電極群）のＺ軸方向における他方側の端部に配置される。すなわち、負極終端電極５１２は、Ｚ軸方向において、複数のバイポーラ電極１２の最も外側に配置される。負極終端電極５１２は、第五の面（一方の面）５１６ａ及び第五の面５１６ａとは反対側の第六の面（他方の面）５１６ｂを有する集電体５１６と、第五の面５１６ａに設けられた負極層５２０と、を有している。負極層５２０は、ＸＹ平面に沿って延在している。集電体５１６は、Ｚ軸方向において集電体１６よりも厚い。負極層５２０は、バイポーラ電極１２における負極層２０と同じ構成である。負極終端電極５１２は、負極終端電極２１２とは異なり、負極プレート５０に対向する第六の面（第一対向面）５１６ｂには凹凸が形成されていない。
【００３５】
次に、第二実施形態の蓄電装置３１０の作用効果について説明する。本実施形態では、積層体２５と正極プレート４０との間、及び積層体２５と負極プレート５０との間において形成される凹凸によって流路Ｃ１が形成される。これにより、積層体２５のＺ軸方向（積層方向）と直交するＹ軸方向における端部を覆う絶縁性の絶縁ケース３０によって蓄電装置１０の側面から熱が放熱し難い構成であったとしても、積層体２５において発生した熱は、Ｚ軸方向に正極プレート４０又は負極プレート５０にまで伝わり、流路Ｃ１を介して放熱されるようになる。この結果、バイポーラ電極１２が積層された積層体２５部分の放熱性を向上させることができる。
【００３６】
第二実施形態では、正極プレート４０の面４０ａに凹凸形成されており、同様に、負極プレート５０の面５０ａに凹凸が形成されている。正極プレート４０及び負極プレート５０における厚みは、正極終端電極４１２及び負極終端電極５１２よりも厚いことが多いので、凹凸の差を確保し易くなる。この構成では、正極プレート４０の面４０ａと正極終端電極４１２の第四の面４１６ｂとの接触面積を極端に減少させることなく流路Ｃ１の断面面積を確保して、放熱効率を高めることができる。同様に、負極プレート５０の面５０ａと負極終端電極５１２の第六の面５１６ｂとの接触面積を極端に減少させることなく流路Ｃ１の断面面積を確保して、放熱効率を高めることができる。
【００３７】
（第三実施形態）
次に、第三実施形態に係る蓄電装置６１０について説明する。図５に示される蓄電装置６１０は、第一実施形態の正極プレート４０に変えて正極プレート６４０を備え、第一実施形態の負極プレート５０に変えて負極プレート６５０を備えること以外は、図１の蓄電装置１０と同じ構成である。
【００３８】
正極プレート６４０は、正極終端電極１１２に対向する面（第一対向面）４０ａに凹凸が形成されていない点以外、第一実施形態の正極プレート４０と同じ構成である。同様に、負極プレート６５０は、負極終端電極２１２に対向する面（第一対向面）５０ａに凹凸が形成されていない点以外、第一実施形態の負極プレート５０と同じ構成である。
【００３９】
次に、第三実施形態の蓄電装置６１０の作用効果について説明する。本実施形態では、積層体２５と正極プレート６４０との間、及び積層体２５と負極プレート６５０との間において形成される凹凸によって流路Ｃ２が形成される。これにより、積層体２５のＺ軸方向（積層方向）と直交するＹ軸方向における端部を覆う絶縁性の絶縁ケース３０によって蓄電装置１０の側面から熱が放熱し難い構成であったとしても、積層体２５において発生した熱は、Ｚ軸方向に正極プレート６４０又は負極プレート６５０にまで伝わり、流路Ｃ２を介して放熱されるようになる。この結果、バイポーラ電極１２が積層された積層体２５部分の放熱性を向上させることができる。
【００４０】
以上、本発明の第一、第二及び第三実施形態について詳細に説明されたが、本発明は上記実施形態に限定されない。
【００４１】
上記実施形態では、流路Ｃ，Ｃ１，Ｃ２の断面形状が矩形である例を挙げて説明したが、円形、半円形、楕円形、三角形、又は菱形等であってもよい。また、流路Ｃ，Ｃ１，Ｃ２は、一方向に延在する例を挙げて説明したが、これに限定されない。例えば、Ｚ軸方向から見た平面視において蓄電装置１の中心位置から放射状に流路を配置してもよい。また、例えば、図６に示されるように、正極プレート７４０において正極終端電極１１２に対向する面（第一対向面）７４０ａに円柱形の突起物７４１が複数形成されていてもよい。同様に、負極プレート７５０において負極終端電極２１２に対向する面（第一対向面）７５０ａに円柱形の突起物７５１が複数形成されていてもよい。なお、図６に示すＸＹＺ直交座標系は、正極プレート７４０を見たときの座標系であり、負極プレート７５０を見たときの座標系は記載を省略する。
【００４２】
このような構成の正極プレート７４０及び負極プレート７５０を備える場合であっても、積層体２５と正極プレート７４０との間、及び積層体２５と負極プレート７５０との間において、突起物７４１，７５１がない部分において流路Ｃ４が形成される。これにより、積層体２５のＺ軸方向（積層方向）と直交するＹ軸方向における端部を覆う絶縁性の絶縁ケース３０があるために、蓄電装置１０の側面から熱が放熱し難い構成であったとしても、積層体２５において発生した熱は、Ｚ軸方向に正極プレート７４０又は負極プレート７５０にまで伝わり、流路Ｃ４を介して放熱されるようになる。この結果、バイポーラ電極１２が積層された積層体２５部分の放熱性を向上させることができる。
【００４３】
なお、正極プレート７４０及び負極プレート７５０から突出する突起物の形状は、上記円柱形に限定されず、任意の形状であってもよい。また、正極プレート７４０及び正極終端電極１１２の少なくとも一方に形成されればよく、同様に、負極プレート７５０及び負極終端電極２１２の少なくとも一方に形成されればよい。
【００４４】
上記実施形態又は変形例では、図２（ａ）及び図２（ｂ）に示されるような凹凸によって形成される一方向（Ｙ軸方向）に延在する溝状の流路Ｃ，Ｃ２，Ｃ３と、図６に示されるような突起物７４１，７５１の隙間によって形成される流路Ｃ４とが、それぞれ別に形成される例を挙げて説明したが、これらが互いに組み合わされていてもよい。例えば、巾広の溝部に突起物が形成されるような構成であってもよい。
【００４５】
また、上記実施形態又は変形例では、蓄電装置１０がニッケル水素二次電池の例を挙げて説明したが、リチウムイオン二次電池であってもよい。この場合、正極活物質は、例えば複合酸化物、金属リチウム、硫黄等である。負極活物質は、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等である。
【符号の説明】
【００４６】
１０…蓄電装置、１２…バイポーラ電極、１４…セパレータ、１６…集電体、１６ａ…第一の面（一方の面）、１６ｂ…第二の面（他方の面）、１８，１１８，４１８…正極層、２０，２２０，５２０…負極層、２５…積層体、３０…絶縁ケース、４０，６４０，７４０…正極プレート（拘束板）、４０ａ…面（第一対向面）、５０，６５０，７５０…負極プレート（拘束板）、５０ａ…面（第一対向面）、１１２…正極終端電極、１１６…集電体、１１６ａ…第三の面（一方の面）、１１６ｂ…第四の面（他方の面・第二対向面）、２１２…負極終端電極、２１６…集電体、２１６ａ…第五の面（一方の面）、２１６ｂ…第六の面（他方の面・第二対向面）、３１０…蓄電装置、４１２…正極終端電極、４１６…集電体、４１６ａ…第三の面（一方の面）、４１６ｂ…第四の面（第一対向面）、５１２…負極終端電極、５１６…集電体、５１６ａ…第五の面（一方の面）、５１６ｂ…第六の面（他方の面・第二対向面）、６１０…蓄電装置、Ｃ，Ｃ１，Ｃ２流路。
【図１】
2018018715.tif 000003
【図２】
2018018715.tif 000004
【図３】
2018018715.tif 000005
【図４】
2018018715.tif 000006
【図５】
2018018715.tif 000007
【図６】
2018018715.tif 000008